(57)【要約】      （修正有）【課題】減速機構において騒音の発生を軽減することができるマッサージ装置を提供すること。【解決手段】駆動部としてのマッサージ装置本体と施療部とを有するマッサージ装置において、前記施療部が、可撓性を有する基板と、この基板の面に対して交差する方向に突出して設けられた複数の突起とを備え、前記マッサージ装置本体に、前記基板の周縁を前記マッサージ装置本体に対する位置関係がほぼ固定された状態で保持する枠体と、前記基板を上下方向に撓ませる往復駆動手段１２を設ける。前記往復駆動手段１２は、駆動用のモータ１３と、モータ軸１３Ａの駆動側歯車２０と第一の従動側歯車２１との間に掛け渡されたベルト２２と、歯車式減速機構１４と、クランク機構１５とを備える。そして、マッサージの際、前記ベルト２２が撓むなどして弾性変形することで、騒音の発生を軽減させることができる。【選択図】図５
2007252669.tif 000002
【特許請求の範囲】
【請求項１】
駆動部と、この駆動部によって動作する施療部とを有するマッサージ装置において、前記施療部が、可撓性を有する材質からなる板状の基板と、この基板の面に対して交差する方向に突出して設けられた複数の突起とで構成され、前記駆動部側に、前記施療部の基板の周縁を前記駆動部に対する位置関係がほぼ固定された状態で保持される枠体を設けると共に、前記駆動部に前記基板の面と交差する方向にこの基板を撓ませる往復駆動手段を連結したマッサージ装置であって、
前記往復駆動手段が、駆動用のモータと、このモータのモータ軸を入力側とした減速機構と、この減速機構の出力側に一側を連結すると共に他側を前記基板に連結したクランク機構とを備えると共に、前記減速機構にはベルト伝達手段が介在していること特徴とするマッサージ装置。
【請求項２】
前記減速機構の減速歯車列中に、歯付きベルトが設けられた前記ベルト伝達手段が介在していることを特徴とする請求項１記載のマッサージ装置。
【請求項３】
前記モータと減速機構との間に前記ベルト伝達手段を設けると共に、このベルト伝達手段を介在させて一次減速が行われることを特徴とする請求項１記載のマッサージ装置。
【発明の詳細な説明】
【技術分野】
【０００１】
本発明は、洗髪時等における頭皮のマッサージや揉み出し洗い等に使用するマッサージ装置に関するものである。
【背景技術】
【０００２】
従来、この種ものとして、駆動部と、前記駆動部によって動作する施療部とを有するマッサージ装置において、前記施療部が、可撓性を有する材質から成る板状の基板と、この基板の面に対して交差する方向に突出して設けられた複数の突起とで構成され、前記駆動部に、前記施療部の基板の周縁を前記駆動部に対する位置関係がほぼ固定された状態で保持される枠体を設けると共に、前記駆動部に、前記基板の面と交差する方向にこの基板を撓ませる往復駆動手段を設け、前記基板の中央部を、往復駆動手段によって前記基板の面と交差する方向に撓ませることで、前記複数の突起を繰り返し相互に開閉させるというものが知られている。そして、このマッサージ装置においては、前記駆動部として駆動用のモータを設けると共に、このモータのモータ軸に減速機構を介してクランク機構を設けて往復駆動手段を形成していた。
【特許文献１】特開２００６−３４９４１号公報
【発明の開示】
【発明が解決しようとする課題】
【０００３】
従来技術では、洗髪時等における頭皮のマッサージ又は揉み出し洗いの際に、頭皮に施療部の突起を比較的強く押し当てると、その押し当て力が前記往復駆動手段を介して前記モータ側からの伝達力に対する変動的な抵抗力となって伝達される虞がある。すなわち、頭皮に施療部の突起を比較的強く押し当てた状態で前記クランク機構に取り付けられたコンロッドが押し下げられる場合、前記押し当て力は前記クランク機構の回転数を低下させる抵抗力となり、一方、前記コンロッドが引き上げられる場合、前記押し当て力は抵抗力にはならないので、前記抵抗力は変動的なものとなる。そして、この結果、この抵抗力に起因して前記減速機構内部でほぼ周期的な騒音が生ずる虞がある。なお、このようなほぼ周期的な騒音は、前記モータの回転軸に取り付けられた歯車と減速機構の歯車とが噛合する一次減速部で最も多く発生する。これは、動力の伝達経路において、前記モータの回転数が一番速く、一次減速部で減速され、最終減速部では更に減速されるため、前記施療部から前記減速機構の最終減速部に変動的な抵抗力が加わって前記最終減速部の回転数がほぼ周期的に変動したとしても、その変動量は小さいが、前記一次減速部では大きな回転数の変動となってしまい、この一次減速部において噛合する歯車に最も大きなストレスが変動的且つほぼ周期的に加わってしまうことになるからである。そして、このようなマッサージ装置は耳に近い頭部で使用されるものであるため、騒音が発生するとうるさく感じやすいという問題があった。
【０００４】
本発明は、モータの回転力を減速機構を介して往復駆動手段に伝達し、この往復駆動手段によって複数の突起を繰り返し相互に開閉させるマッサージ装置において、前記突起を比較的強く頭皮に押し当てることでその力がモータ側からの伝達力に対する変動的な抵抗力となるような場合等であっても、前記減速機構において発生する騒音を軽減することができるマッサージ装置を提供することを目的とする。
【課題を解決するための手段】
【０００５】
請求項１の発明は、駆動部と、この駆動部によって動作する施療部とを有するマッサージ装置において、前記施療部が、可撓性を有する材質からなる板状の基板と、この基板の面に対して交差する方向に突出して設けられた複数の突起とで構成され、前記駆動部側に、前記施療部の基板の周縁を前記駆動部に対する位置関係がほぼ固定された状態で保持される枠体を設けると共に、前記駆動部に前記基板の面と交差する方向にこの基板を撓ませる往復駆動手段を連結したマッサージ装置であって、前記往復駆動手段が、駆動用のモータと、このモータのモータ軸を入力側とした減速機構と、この減速機構の出力側に一側を連結すると共に他側を前記基板に連結したクランク機構とを備えると共に、前記減速機構にはベルト伝達手段が介在していること特徴とするマッサージ装置である。
【０００６】
また、請求項２の発明は、前記減速機構の減速歯車列中に、歯付きベルトが設けられた前記ベルト伝達手段が介在していること特徴とする請求項１記載のマッサージ装置である。
【０００７】
更に、請求項３の発明は、前記モータと減速機構との間に前記ベルト伝達手段を設けると共に、このベルト伝達手段を介在させて一次減速が行われることを特徴とする請求項１記載のマッサージ装置である。
【発明の効果】
【０００８】
請求項１の発明によれば、前記基板の昇降が阻止されるように抵抗力などが生じたような場合には、この抵抗力が歯車式の前記減速機構を介して前記モータ側に直接伝達しないように前記ベルトが撓むなどして弾性変形することで、前記抵抗力によるストレスが吸収されて騒音の発生を軽減することができる。
【０００９】
請求項２の発明によれば、減速歯車列に対してスリップ等がなく、伝動効率を向上することができる。
【００１０】
請求項３の発明によれば、一次減速が行われるモータと減速機構との間に軟質のベルト伝達手段を介在させることで、ほぼ周期的な回転数変動によるストレスが最も大きくなって最も騒音が発生しやすい個所での騒音を軽減することができる。
【発明を実施するための最良の形態】
【００１１】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１２】
図１〜図８は実施例１を示している。１はマッサージ装置であり、このマッサージ装置１は、駆動部としてのマッサージ装置本体２と、その下部側に着脱自在に設けられた施療部３とを有している。そして、この施療部３は、基板４と、この基板４の下面に該下面と交差する方向である下方側に突出して一体に設けられた３種類の突起５，６，７とで構成されている。前記基板４は、平面視で楕円状であって、可撓性を有する軟質合成樹脂によって形成されている。そして、この基板４の縁４Ａは、前記マッサージ装置本体２の下縁側にほぼ固定されている。なお、ここで言う「ほぼ固定」とは、固着或いは多少の動きを許容して固定するものであり、本実施例では、前記基板４の縁４Ａを前記マッサージ装置本体２の下面に沿って形成した溝よりなる固定用の枠体８に嵌合させることで、両者を全周にわたって着脱自在に接続している。
【００１３】
マッサージ装置本体２の下部には、平面視で楕円状の底板９が固定されていると共に、この底板９の中央部には上下方向を貫通する円形の窓孔１０が形成されており、この窓孔１０を覆って伸縮可能な覆い体１１が設けられている。この覆い体１１は、例えばゴム或いは合成ゴムや軟質合成樹脂等の可撓性を有する蛇腹状板材によって、前記窓孔１０を封ずるように設けられている。そして、前記マッサージ装置本体２の内部には、前記基板４の中央部を上下方向に往復動させる往復駆動手段１２が設けられている。この往復駆動手段１２は、前記底板９上に設けられる駆動源としての駆動用のモータ１３と、このモータ１３に減速機構である歯車式減速機構１４を介して接続されるクランク機構１５と、このクランク機構１５の偏心軸１５Ａに対して一側１６Ａが回動自在に連結されると共に、他側１６Ｂが前記基板４の上面のほぼ中央に対して昇降自在に連結されたリンク棒のように昇降して往復運動を行うコンロッド部材１６を備えている。なお、前記覆い体１１のほぼ中央には接続中継部材１７が一体的に設けられている。この接続中継部材１７は、その上面側に前記コンロッド部材１６の他側を接続すると共に、下面側に鉤形状のフック１７Ａが設けられており、このフック１７Ａに前記基板４中央の上面に設けられたフック受け部４Ｂが着脱自在に接続されている。従って、前記接続中継部材１７は、前記クランク機構１５を介して前記モータ１３の回転作動に伴って上下往復運動を行うようになっている。これにより、前記フック受け部４Ｂが設けられた位置が、振幅が２Ｆとなる前記基板４における最大振幅部となり、前記フック受け部４Ｂ及び接続中継部材１７を通って上下方向に中心軸線Ｘが形成される。また、前記マッサージ装置本体２の内部には、前記モータ１３用の電池１８が設けられており、さらに、前記マッサージ装置本体２の上面側表面には前記モータ１３用のスイッチ１９が設けられている。
【００１４】
そして、図４乃至図６に示すように、前記モータ１３のモータ軸１３Ａに固定された駆動側歯車２０と前記歯車式減速機構１４の第一の従動側歯車２１との間には、ゴム或いは合成ゴム製のベルト２２が掛け渡されると共に、このベルト２２の内周面に、前記駆動側歯車２０と前記第一の従動側歯車２１に噛合可能な歯部２３が連続的に形成されていることで、前記ベルト２２は歯付きベルトとなっている。なお、前記第一の従動側歯車２１は、回転軸２４回りに回転自在に取り付けられている。また、前記駆動側歯車２０の歯数は前記第一の従動側歯車２１の歯数よりも少なく、従って、前記モータ１３のモータ軸１３Ａの回転は、前記ベルト２２を介して前記駆動側歯車２０と第一の従動側歯車２１との間で一次減速される。そして、前記第一の従動側歯車２１と同軸且つ一体に、この第一の従動側歯車２１より径小な第一の小歯車２１Ａが形成されており、この第一の小歯車２１Ａと第二の従動側歯車２５とが噛合する。なお、この第二の従動側歯車２５は、回転軸２４Ａ回りに回転自在に取り付けられている。そして、前記第二の従動側歯車２５と同軸且つ一体に、この第二の従動側歯車２５より径小な第二の小歯車２５Ａが形成されており、この第二の小歯車２５Ａと第三の従動側歯車２６とが噛合する。なお、この第三の従動側歯車２６は、回転軸２４Ｂ回りに回転自在に取り付けられている。そして、前記クランク機構１５は、前記第三の従動側歯車２６と同軸且つ一体に形成された取付部２７を介して、前記第三の従動側歯車２６と同軸に固定されている。そして、前記駆動側歯車２０の歯数が前記第一の従動側歯車２１の歯数よりも少なく、前記第一の小歯車２１Ａの歯数が前記第二の従動側歯車２５の歯数よりも少なく、前記第二の小歯車２５Ａの歯数が前記第三の従動側歯車２６の歯数よりも少ないことで、前記モータ１３の回転数は減速されて前記第三の従動側歯車２６、ひいてはこの第三の従動側歯車２６に固定されたクランク機構１５に伝わることになる。
【００１５】
さらに、前記回転軸２４の軸受け２４Ｃや前記モータ軸１３Ａの貫通孔２８Ａが、前記モータ１３の前面に固定された固定板２８に設けられている。また、この固定板２８に間隔をおいて対向する仕切り板２９には、前記回転軸２４Ａ，２４Ｂの軸受け２４Ｄ，２４Ｅが設けられている。また、前記コンロッド部材１６の一側１６Ａには、前記クランク機構１５の偏心軸１５Ａが遊嵌可能な摺動案内路３０が、前記クランク機構１５に対向して溝状に形成されている。この摺動案内路３０は、前記回転軸２４Ｂの軸心方向及び前記中心軸線Ｘに対して直交するように水平に横長に形成されており、その横長方向の長さは前記クランク機構１５の中心（回転軸２６）から偏心軸１５Ａまでの偏心距離Ｆの２倍（２Ｆ）と同一或いはやや大きく形成されている。さらに、前記コンロッド部材１６の前後、すなわち前記回転軸２４Ｂの軸心方向の一方側及び他方側には、前記コンロッド部材１６が昇降する際にこのコンロッド部材１６を上下方向に案内する案内部材３１が設けられている。この案内部材３１の中央には、前記コンロッド部材１６の昇降路３１Ａが下方を開口した孔によって形成されており、この昇降路３１Ａの一方の内壁に溝状の案内路３２が上下方向に形成されており、この案内路３２に対して上下方向に摺動する摺動部３３が前記コンロッド部材１６の両側に、前記摺動部３３と対向して突設している。したがって、前記クランク機構１５により前記偏心軸１５Ａが回動すると、この偏心軸１５Ａは前記摺動案内路３０で摺動し、前記摺動部３３が案内路３２を摺動しながら前記コンロッド部材１６は昇降を繰り返すことができるようになっている。
【００１６】
前記施療部３について詳述する。前記突起５，６，７は、前記基板４のほぼ中央を上下に通る前記中心軸線Ｘを中心として、前記基板４の縁４Ａに沿って配置される楕円状の仮想外側輪Ｏと、その内側に配置されるほぼ円状の仮想内側輪Ｉと、これらの間に配置されるほぼ円状の仮想中間輪Ｍにそれぞれ設けられている。
【００１７】
前記仮想中間輪Ｍに沿って相互に間隔をおいて設けられる第一の突起５は、中心軸線Ｘを中心として相互に対向するように複数間隔をおいて設けられている。なお、本例において、前記第一の突起５は、円弧状に三つ並んだ群を軸対称となるように二個所に設けることで、合計六つ設けられている。そして、一方に三つ並んだ群の第一の突起５Ａは、中心軸線Ｘを挟んで他方に三つ並んだ群の対向する第一の突起５Ｂに対向している。そして、前記第一の突起５における前記中心軸線Ｘに面する対向面３４は、その先端３５が先細に形成されると共に、その基端３６に向かって次第に幅Ｗが大きくなるように形成されて前記基板４に一体に接続されていることで、前記対向面３４は、先端３５から基端３６にかけてほぼ三角形状に形成されている。そして、前記対向面３４は、その基端３６側よりも先端３５側が前記中心軸線Ｘからの距離Ｌが長くなるように、湾曲凸状に後退している。なお、前記第一の突起５における前記対向面３４の最大幅は、ほぼ手指の幅程度に形成され、さらに、前記対向面３４の最大高さは手指の先から第一関節までの長さにほぼ相当している。
【００１８】
さらに、前記第一の突起５は、その対向面３４の左右両側にそれぞれ側面３７を一体に設けたほぼ三角錐状となって突設しており、そして前記第一の突起５は、板状の前記基板４の厚みとほぼ同じ厚みによって凸状に一体成形されたものであり、このために、前記第一の突起５の内部には中空部３８が形成されると共に、この中空部３８の上部には開口部３８Ａが設けられ、この上部開口部３８Ａを介して前記中空部３８が前記基板４の上方、すなわちこの基板４と前記底板９の間の空間に連通するようになっている。一方、前記第一の突起５の対向面３４の先端３５寄りには、横長の連通部３９が貫通して形成されており、この連通部３９によって、前記中空部３８と前記第一の突起５の外部とが連通している。
【００１９】
また、前記仮想外側輪Ｏに沿って相互に間隔をおいて設けられる第二の突起６は、先端を丸くした円柱状であって、前記底板９側からの高さ距離Ｈ２が、前記第一の突起５における前記底板９側からの高さ距離Ｈ１よりも常時大きくなるように形成されている。すなわち、前記施療部３が図７の状態と図８の状態との間で変形することで、前記第一の突起５が上下に移動したとしても、前記第二の突起６は、その先端が前記第一の突起５の最も下位置となる位置よりも常時下方に位置するように形成されている。また、前記第二の突起６におけるその一本当たりの平面積は、前記第一の突起５の平面積よりも小さく形成されている。なお、複数本の前記第二の突起６からなる群が、平面が楕円形状の前記基板４における長軸方向の両側それぞれに配置されている。
【００２０】
更に、前記仮想内側輪Ｉに沿って相互に間隔をおいて設けられる第三の突起７は、先端を丸くした四角柱状であって、その前記基板４からの高さＨ３は、前記第一の突起５における前記基板４からの高さＨ１´よりも小さく形成されている。また、前記第二の突起６におけるその１本当たりの平面積は、前記第一の突起５の平面積よりも小さく形成されている。
【００２１】
次に、上記構成について、その作用を説明する。洗髪時等において頭皮Ｓのマッサージを行ったり揉み出し洗いを行ったりする場合、まず使用者は、前記マッサージ装置本体２を把持し、前記施療部３の第一及び第二の突起５，６の先端部を前記頭皮Ｓに押し当てて手で保持する。次に、前記スイッチ１９を閉成すると、前記電池１８から電力が給電されることで、前記モータ１３が作動して前記モータ軸１３Ａが回転する。この回転に伴い、前記モータ軸１３Ａに前記歯車式減速機構１４を介して接続された前記クランク機構１５が回転し、このクランク機構１５及びこのクランク機構１５の偏心軸１５Ａに連結された前記コンロッド部材１６によって、前記モータ軸１３Ａの回転運動が往復運動に変換され、前記コンロッド部材１６に連結された前記接続中継部材１７が上下に往復動する。
【００２２】
なお、前記歯車式減速機構１４において、前記モータ１３のモータ軸１３Ａの回転は、前記駆動側歯車２０、この駆動側歯車２０と前記第一の従動側歯車２１との間に掛け渡されたベルト２２、前記第一の従動側歯車２１及びこれと一体に設けられた前記第一の小歯車２１Ａ、前記第二の従動側歯車２５及びこれと一体に設けられた前記第二の小歯車２５Ａ、前記第三の従動側歯車２６及びこれと一体に設けられた前記取付部２７を経て前記クランク機構１５へと伝達できるようになっている。この際、前記モータ１３のモータ軸１３Ａの回転は、前記駆動側歯車２０と第一の従動側歯車２１との間で前記ベルト２２を介して一次減速され、前記第一の小歯車２１Ａと第二の従動側歯車２５との間で二次減速され、前記第二の小歯車２５Ａと第三の従動側歯車２６との間で最終減速される。そして、マッサージ時において、前記施療部３の突起５，６，７が頭皮Ｓに比較的強く当たるように前記マッサージ装置本体２を保持することで、前記基板４の昇降が阻害されるように変動的且つほぼ周期的な抵抗力が生じた場合、前述したように、一次減速部となる個所、すなわち前記駆動歯車２０と第一の従動歯車２１とベルト２２との間に最も大きなストレスが変動的且つほぼ周期的に加わることになるが、このような一次減速部を構成する前記ベルト２２の撓み等の弾性変形によってストレスが吸収されることで、最も騒音が発生しやすい一次減速部における騒音の発生を軽減することができる。
【００２３】
そして、前記基板４は、前記接続中継部材１７に接続された前記フック受け部４Ｂ、すなわち前記基板４中央が最大振幅箇所となるように、図７に示す下に撓んだ湾曲凸状態と図８に示す上に撓んだ湾曲凹状態との間で変形を繰り返し、その前記最大振幅個所における振幅は、前記クランク機構１５の中心（回転軸２４Ｂ）から偏心軸１５Ａまでの偏心距離Ｆの２倍（２Ｆ）となる。これにより、主として前記第一の突起５は、前記中心軸線Ｘを中心としてその内側方向に傾斜したり、或いはその後起立したりすることを繰り返すことで、前記頭皮Ｓを揉むようにしてマッサージを行うことができる。また、前記第三の突起７は、前記基板４の撓みによって、前記頭皮Ｓに対して当接と離間を繰り返すことで、前記頭皮Ｓを軽く叩くようにしてマッサージを行うことができる。
【００２４】
なお、前記第二の突起６は、前記基板４の外周付近で且つ楕円形状の前記基板４における長軸方向の両側に形成されているので、前記基板４が撓んだとしても、多少揺動する程度で殆ど動かない。しかしながら、この殆ど動かない第二の突起６自体はマッサージを殆ど行わないものの、この第二の突起６によって前記マッサージ装置本体２と頭皮Ｓとの間隔が保たれることになり、前記施療部３を頭皮Ｓに必要以上に強く押し当ててしまうことが防止される。そして、前記施療部３を頭皮Ｓに必要以上に強く押し当ててしまうと、前記基板４の撓みによる前記第一の突起５の起倒に伴う反作用によって、前記マッサージ装置本体２、ひいてはそれを持つ使用者の手が前記中心軸線Ｘ方向に大きく振動したり、逆に前記施療部３が押し当てられた頭が大きく揺さぶられたりすることになり、前記第一の突起５によるマッサージが良好に行われないが、前記第二の突起６によって前記マッサージ装置本体２と頭皮Ｓとの間隔が保たれることで、前記施療部３が頭皮Ｓに対して必要以上に強く押し当てられず、前記マッサージ装置本体２を持つ使用者の手及び前記施療部３が押し当てられた頭が大きく揺さぶられることがないので、前記第一の突起５によるマッサージが良好に行われることになる。
【００２５】
そして、前記基板４が図７の状態から図８の状態に変形する、すなわち前記基板４が湾曲凸状態から湾曲凹状態に撓むことで、前記第一の突起５が頭皮Ｓに当接した状態で内側に倒れることになり、前記第一の突起５によって前記頭皮Ｓが掴まれるようにマッサージされると同時に、洗髪剤等によって前記頭皮Ｓのみならず髪（図示せず）も洗浄されることになる。この際、前記第一の突起５の前記中心軸線Ｘに対向する対向面３４が、その先端３５側を先細に形成すると共に基端３６側を次第に幅大に形成したほぼ三角形状に形成されていることにより、図７の状態では、前記対向面３４の先端３５よりもやや基端３６寄りの部分が前記頭皮Ｓに柔らかく当たり、それから図８の状態に向かって変形するに従って、順次幅狭になる先端３５側が頭皮Ｓに当たるようになるので、指先で揉むような指圧法のマッサージを行うことができる。さらに、前記第一の突起５は、その基端３６側よりも先端３５側が前記中心軸線Ｘから離間するように湾曲凸状に後退していることにより、前記第一の突起５が内側方向に傾斜したり起立したりして前記頭皮Ｓと接触する際に、前記対向面３４が、その基端３６側から先端３５側にかけて頭皮Ｓを滑るように揉むことができる。また、前記第一の突起５は、前記中心軸線Ｘを中心として相互に対向するように複数間隔をおいて設けられていることにより、対向する前記第一の突起５Ａ，５Ｂ相互間での揉み作用もなすことができる。更に、逆に前記基板４が図８の状態から図７の状態に変形する、すなわち前記基板４が湾曲凹状態から湾曲凸状態に撓む場合でも、前記第一の突起５によって指先のような柔らかいマッサージを行うことができる。
【００２６】
また、前記基板４は、図７に示す下に撓んだ湾曲凸状態と図８に示す上に撓んだ湾曲凹状態との間で変形を繰り返す際、前記基板４と底板９の間の空間が圧縮、復元を繰り返すことになり、この結果、圧縮時においては前記基板４と底板９の間の空間の空気が前記連通部３９から頭皮Ｓに向けて噴出するので、この空気圧によってもマッサージを行うことができる。
【００２７】
以上のように、前記実施例おいては、駆動部としてのマッサージ装置本体２と、このマッサージ装置本体２によって動作する施療部３とを有するマッサージ装置１において、前記施療部３が、可撓性を有する材質からなる板状の基板４と、この基板４の面に対して交差する方向である下方に突出して設けられた複数の突起５，６，７とを備え、前記マッサージ装置本体２と一体的に、前記施療部３の基板４の周縁４Ａを前記マッサージ装置本体２に対する位置関係がほぼ固定された状態で保持する枠体８を設け、前記マッサージ装置本体内２に、前記基板４の面と交差する上下方向にこの基板４を撓ませる往復駆動手段１２を設けたマッサージ装置１であって、前記往復駆動手段１２が、駆動用のモータ１３と、このモータ１３のモータ軸１３Ａを入力側とした歯車式減速機構１４と、この歯車式減速機構１４の出力側に一側を連結すると共に他側を前記基板４に連結したクランク機構１５とを備え、前記歯車式減速機構１４の駆動側歯車２０と第一の従動側歯車２１との間にベルト２２を介在したことによって、前記基板４の昇降が阻害されるように変動的且つほぼ周期的に抵抗力が生じた場合、前記ベルト２２の撓み等の弾性変形によってストレスを吸収し、ほぼ周期的な騒音の発生を軽減させることができる。また、前記歯車式減速機構１４の各歯車の寸法誤差等に伴い、各歯車間の噛合状態の精度が多少低下して、騒音が生ずるような虞があっても、前記駆動側歯車２０と第一の従動側歯車２１との間に前記ベルト２２を介在させたことによって、このベルト２２の弾性変形等によって誤差が吸収されることで、騒音を軽減させることができる。更に、最も騒音が発生しやすい一次減速部を構成する前記駆動側歯車２０と第一の従動側歯車２１との間に前記ベルト２２を介在させたことで、ほぼ周期的な騒音の発生をより軽減させることができる。
【００２８】
また、前記歯車式減速機構１４は、駆動側歯車２１、第一の小歯車２１Ａ、第二の従動側歯車２５、第二の小歯車２５Ａ、第３の従動側歯車２６を備えた減速歯車列中に、複数の歯部２３が形成された歯付きのベルト２２を介在することで、プーリを備えた減速輪列中にベルトを介在したものと比較してスリップなどがなく伝動効率を向上させることができる。
【産業上の利用可能性】
【００２９】
以上のように本発明に係るマッサージ装置は、各種の用途に適用できる。
【図面の簡単な説明】
【００３０】
【図１】本発明の実施例１を示す断面図である。
【図２】本発明の実施例１を示す斜視図である。
【図３】本発明の実施例１を示す分解斜視図である。
【図４】本発明の実施例１を示す歯車式減速機構周りの斜視図である。
【図５】本発明の実施例１を示す歯車式減速機構周りを３分割した斜視図である。
【図６】本発明の実施例１を示す歯車式減速機構周りの分解斜視図である。
【図７】本発明の実施例１を示す湾曲凸状態の基板周りの断面図である。
【図８】本発明の実施例１を示す湾曲凹状態の基板周りの断面図である。
【符号の説明】
【００３１】
１  マッサージ装置
２  マッサージ装置本体（駆動部）
３  施療部
４  基板
４Ａ  周縁
５  第一の突起
６  第二の突起
７  第三の突起
８  枠体
１２  往復駆動手段
１３  モータ
１３Ａ  モータ軸
１４  歯車式減速機構
１５  クランク機構
２０  駆動側歯車
２１  第一の従動側歯車
２１Ａ  第一の小歯車
２２  ベルト
２３  歯部
２５  第二の従動側歯車
２５Ａ  第二の小歯車
２６  第３の従動側歯車
【図１】
2007252669.tif 000003
【図２】
2007252669.tif 000004
【図３】
2007252669.tif 000005
【図４】
2007252669.tif 000006
【図５】
2007252669.tif 000007
【図６】
2007252669.tif 000008
【図７】
2007252669.tif 000009
【図８】
2007252669.tif 000010
【手続補正書】
【提出日】平成19年7月25日(2007.7.25)
【手続補正１】
【補正対象書類名】明細書
【補正対象項目名】０００２
【補正方法】変更
【補正の内容】
【０００２】
従来、この種のものとして、駆動部と、前記駆動部によって動作する施療部とを有するマッサージ装置において、前記施療部が、可撓性を有する材質から成る板状の基板と、この基板の面に対して交差する方向に突出して設けられた複数の突起とで構成され、前記駆動部に、前記施療部の基板の周縁を前記駆動部に対する位置関係がほぼ固定された状態で保持される枠体を設けると共に、前記駆動部に、前記基板の面と交差する方向にこの基板を撓ませる往復駆動手段を設け、前記基板の中央部を、往復駆動手段によって前記基板の面と交差する方向に撓ませることで、前記複数の突起を繰り返し相互に開閉させるというものが知られている。そして、このマッサージ装置においては、前記駆動部として駆動用のモータを設けると共に、このモータのモータ軸に減速機構を介してクランク機構を設けて往復駆動手段を形成していた。
【手続補正２】
【補正対象書類名】明細書
【補正対象項目名】０００５
【補正方法】変更
【補正の内容】
【０００５】
請求項１の発明は、駆動部と、この駆動部によって動作する施療部とを有するマッサージ装置において、前記施療部が、可撓性を有する材質からなる板状の基板と、この基板の面に対して交差する方向に突出して設けられた複数の突起とで構成され、前記駆動部側に、前記施療部の基板の周縁を前記駆動部に対する位置関係がほぼ固定された状態で保持される枠体を設けると共に、前記駆動部に前記基板の面と交差する方向にこの基板を撓ませる往復駆動手段を連結したマッサージ装置であって、前記往復駆動手段が、駆動用のモータと、このモータのモータ軸を入力側とした減速機構と、この減速機構の出力側に一側を連結すると共に他側を前記基板に連結したクランク機構とを備えると共に、前記減速機構にはベルト伝達手段が介在していることを特徴とするマッサージ装置である。
【手続補正３】
【補正対象書類名】明細書
【補正対象項目名】０００６
【補正方法】変更
【補正の内容】
【０００６】
また、請求項２の発明は、前記減速機構の減速歯車列中に、歯付きベルトが設けられた前記ベルト伝達手段が介在していることを特徴とする請求項１記載のマッサージ装置である。